(57)【要約】【課題】放電管の電子点灯装置が始動ミスを起こさず、瞬断でも再起動できるようにする。【解決手段】蛍光灯ＦＬのフィラメント端子ｆ１、ｆ２をチョークトランスＣＨを介して交流電源ＡＣと接続し、他方の端子ｆ１’、ｆ２’間に半導体スイッチング素子Ｑ１を設けた点灯装置Ｓｔｔに、管電圧より高い電圧でコンデンサＣ１に充電を開始する充電手段Ｉ１を備えた第１の弁別手段１と、管電圧より高く、先の第１の弁別手段１より低い電圧でコンデンサＣ２に充電を開始する充電手段Ｉ２を備えた第２の弁別手段を備えるとともに、前記充電手段Ｉ１、Ｉ２の充電電圧に基づいて作動するスイッチングトランジスタＱ２〜Ｑ４を設けて、それらトランジスタＱ２〜Ｑ４の論理積出力で前記半導体スイッチング素子Ｑ１をオン、オフして予熱電流を流すようにする。こうすることで、電源電圧を検出して予熱電流を流すので、始動ミスを起こさず、瞬断でも再起動できる。【選択図】  図２
2004273207.tif 000002
【特許請求の範囲】
【請求項１】
放電管の両端の一対のフィラメント端子のそれぞれ一方の端子を、チョークトランスを介して交流電源と接続し、両端の他方の端子間に設けた半導体スイッチング素子を制御して放電管を点灯する電子点灯装置において、前記他方の端子間の電圧が放電管の管電圧よりも高い電圧で充電を開始する第１の充電手段と、その充電手段で充電される第１のコンデンサと、前記第１のコンデンサの充電電圧に基づいて前記半導体素子をオフからオンにする信号を出力するスイッチ手段とからなる第１の弁別手段と、
前記端子間の電圧が第１の充電手段の充電開始電圧よりも低く、かつ、管電圧よりも高い電圧で充電を開始する第２の充電手段と、その第２の充電手段で充電される第２のコンデンサと、前記第２のコンデンサの充電電圧に基づいて前記半導体スイッチング素子をオンからオフにする信号を出力するスイッチ手段とからなる第２の弁別手段と、
前記第１及び第２の弁別手段の出力信号の論理積出力を前記半導体スイッチング素子へ入力する手段を設けるとともに、
前記第１の弁別手段よりも第２の弁別手段の充電時間を長く設定し、かつ、第１と第２のコンデンサの電荷を放電する放電抵抗を設けた電子点灯装置。
【発明の詳細な説明】
【０００１】
【発明の属する利用分野】
この発明は、簡単な構成で信頼性を向上させた例えば蛍光灯などの放電管の電子点灯装置に関するものである。
【０００２】
【従来の技術】
蛍光灯などの放電管では、安価なグローランプをスターターとして用いたものが使用されてきた。ところが、グローランプを用いたものは、始動時間が長く、寿命が短いなどの欠点があった。そのため、これに代わるものとして、近年、半導体スイッチング素子を用いた電子点灯装置が用いられている。
【０００３】
例えば、〔特許文献１〕の電子点灯装置は、図６（ａ）のように、半導体スイッチング素子Ｑ１に安価なトランジスタを用いて、これにタイマ回路Ｔ１を設けたもので、タイマ回路Ｔ１は蛍光灯ＦＬのフィラメント端子ｆ１、ｆ１’、ｆ２、ｆ２’が充分に予熱できたときに、半導体スイッチング素子Ｑ１をオフにしてキックパルスを発生させ、蛍光灯ＦＬを点灯させるようになっている。
【０００４】
こうすることで、フィラメント端子ｆ１、ｆ１’、ｆ２、ｆ２’に塗布されたエミッタの消耗を抑制し、蛍光灯ＦＬの寿命を伸ばすというものである。
【０００５】
また、このものは、点灯中にタイマ回路Ｔ１によりトランジスタのオフ動作を保持できるため、点灯中の誤動作も防止できる。
【０００６】
【特許文献１】
特開平３−２５２０９６号公報
【０００７】
【発明が解決しようとする課題】
しかしながら、上記の点灯装置では、図６（ａ）に示すように、タイマ回路Ｔ１のタイムアップ時間は、トランジスタと抵抗Ｒとの直列回路の両端の電圧によって決まり、その両端の電圧は、トランジスタを流れる予熱電流によって決まる。
【０００８】
そのため、チョークコイルＣＨのインダクタンスが大きく、点灯する蛍光灯ＦＬのワット数が小さいと、予熱電流が小さいためにタイマ回路Ｔ１のコンデンサＣｔに充電される電圧が低く、タイマ回路Ｔ１のサイリスタＳＲをオンできない場合が生じて、蛍光灯ＦＬを始動できない問題があった。
【０００９】
また、点灯中に瞬断が発生すると、蛍光灯ＦＬが消灯してもタイマ回路Ｔ１のコンデンサＣｔに充電された電荷を放電しないと、サイリスタＳＲがオン状態を維持し続けるため、蛍光灯ＦＬは消灯したままとなり、電源をオフにしてコンデンサＣｔに充電された電荷を放電しなければ再点灯できない問題があった。
【００１０】
さらに、実際の回路では、図６（ｂ）や（ｃ）に示すように、点灯スイッチや半導体素子に、それらを保護するためのＣ、Ｒ等によるアブソーバー回路ＡＳが並列に設けられていたりする。そのため、それらのアブソーバー回路ＡＳによって、電源がオフの場合もリーク電流が点灯装置の回路に流れて、タイマ回路Ｔ１のコンデンサに電荷を充電し続けて、点灯装置の動作に悪影響を与える問題もある。
【００１１】
また、同様にパイロットランプなどの表示回路がスイッチなどに並列に設けてあると、電源がオフの場合もリーク電流が点灯装置の回路に流れて、タイマ回路Ｔ１のコンデンサＣｔに電荷を充電し続ける場合もあるので、点灯装置の動作に悪影響を与える問題もある。
【００１２】
そこで、この発明の課題は、始動ミスを起こさない。瞬断でも再起動できるようにする。リークで誤動作を起こさないようにすることである。
【００１３】
【課題を解決するための手段】
上記の課題を解決するため、この発明では、放電管の両端の一対のフィラメント端子のそれぞれ一方の端子を、チョークトランスを介して交流電源と接続し、両端の他方の端子間に設けた半導体スイッチング素子を制御して放電管を点灯する電子点灯装置において、前記他方の端子間の電圧が放電管の管電圧よりも高い電圧で充電を開始する第１の充電手段と、その充電手段で充電される第１のコンデンサと、前記第１のコンデンサの充電電圧に基づいて前記半導体素子をオフからオンにする信号を出力するスイッチ手段とからなる第１の弁別手段と、前記端子間の電圧が第１の充電手段の充電開始電圧よりも低く、かつ、管電圧よりも高い電圧で充電を開始する第２の充電手段と、その第２の充電手段で充電される第２のコンデンサと、前記第２のコンデンサの充電電圧に基づいて前記半導体スイッチング素子をオンからオフにする信号を出力するスイッチ手段とからなる第２の弁別手段と、前記第１及び第２の弁別手段の出力信号の論理積出力を前記半導体スイッチング素子へ入力する手段を設けるとともに、前記第１の弁別手段よりも第２の弁別手段の充電時間を長く設定し、かつ、第１と第２のコンデンサの電荷を放電する放電抵抗を設けた構成としたのである。
【００１４】
このような構成を採用することにより、第１の弁別手段の充電手段は、印加された電圧が管電圧（放電管の点灯時の端子電圧）よりも高くなると第１のコンデンサへの充電を開始し、充電による電圧が半導体スイッチング素子をオンにする信号を出力できるまでの間、半導体スイッチング素子をオフにする信号を出力する。一方、第２の弁別手段は、充電開始電圧を第１の弁別手段よりも低く設定してあるので、第１の弁別手段より先に充電を開始し、半導体スイッチング素子をオンにする信号を出力する。
【００１５】
そのため、充電の開始時には、第１及び第２の弁別手段はオフとオンなので、その論理積出力は、半導体スイッチング素子をオフにする出力を出力する。
【００１６】
次に、充電電圧が上昇して第１の弁別手段が半導体スイッチング素子をオンにする信号を出力すると、このとき第２の弁別手段は、第１の弁別手段よりも充電時間を長くなるようにしてあるので、まだ半導体スイッチング素子をオンにする信号を出力し続ける。
そのため、第１及び第２の弁別手段はオンとオンとなるので、その論理積出力は、半導体スイッチング素子をオンにする出力となり、電流が流れて予熱を行う。
【００１７】
さらに、こののち、充電電圧が上昇して第２の弁別手段が半導体スイッチング素子をオフにする信号を出力すると、第１及び第２の弁別手段はオンとオフとなるので、論理積出力は半導体スイッチング素子をオフにする出力となり、半導体スイッチング素子を急激にオフとしてキックパルスを発生する。
このように交流電源の電圧に基づいて予熱時間が決まるので、予熱電流の大小によって予熱時間が変化せず、始動ミスを起こさない。
【００１８】
また、放電管が点灯すると、点灯した放電管の電圧は管電圧に低下するので、第１及び第２の弁別手段の充電手段は充電を停止し、第１及び第２のコンデンサに充電された電荷は放電抵抗によって放電されるため、第１及び第２の弁別手段はオフとオンとなり、その論理積出力は、半導体スイッチング素子をオフにする出力となって回路は停止する。
【００１９】
一方、瞬断などで放電管が消灯すると、放電管の端子電圧が上昇する。このとき、第１及び第２の弁別手段のコンデンサは放電抵抗により放電しているので電圧が上昇すると、再び、第１及び第２の弁別手段の充電手段は充電を開始して、先の手順で再始動を行うことができる。
【００２０】
【発明の実施の形態】
以下、この発明の実施の形態を図面に基づいて説明する。
図１は、蛍光灯（放電管）ＦＬの点灯装置で、蛍光灯ＦＬの両端の一対のフィラメント端子ｆ１、ｆ１’、ｆ２、ｆ２’のそれぞれ一方の端子ｆ１、ｆ２をチョークトランスＣＨを介して交流電源ＡＣと接続し、他方の端子ｆ１’、ｆ２’間に、この発明を適用した図２に示す電子点灯回路Ｓｔｔを、接続端子ＸとＹを介して接続した構成となっている。
【００２１】
電子点灯回路Ｓｔｔは、半導体スイッチング素子Ｑ１を制御して蛍光灯ＦＬを点灯するもので、半導体スイッチング素子Ｑ１、第１の弁別手段１、第２の弁別手段２、論理積手段３及び整流用ダイオードＤ１で構成されており、図２のように整流用ダイオードＤ１のカソード側をＹ端子に接続して、Ｘ端子がプラス電位になるようにしてある。
【００２２】
半導体スイッチング素子Ｑ１は、この形態では、保護ダイオードＤａを内蔵したＣＭＯＳ構造のパワーＦＥＴを使用しており、この形態では、図２のように分圧用のダイオードＤ２を直列に接続して耐圧の低いものを使用できるようにしている。
【００２３】
第１の弁別手段１は、第１の充電手段Ｉ１と第１ａ、ｂのスイッチングトランジスタ（例えば、ＮｃｈエンハンスメントＭＯＳ）Ｑ１、Ｑ２とで構成されており、第１の充電手段Ｉ１は、ツェナーダイオードＤｚ１と第１のコンデンサＣ１及び放電抵抗Ｒ３とで構成されている。
【００２４】
ツェナーダイオードＤｚ１は、図２のようにカソードを電流制限抵抗Ｒ１を介してＸ端子と接続し、アノードを第１のコンデンサＣ１と放電抵抗Ｒ３との並列回路を介して整流用ダイオードＤ１のアノードに接続するとともに、その第１のコンデンサＣ１と放電抵抗Ｒ３の並列回路とツェナーダイオードＤｚ１のアノードとの接続点を、第１ａのスイッチングトランジスタＱ２のゲートに接続してある。
【００２５】
そのため、ツェナーダイオードＤｚ１は、Ｘ端子の電圧がツェナー電圧に達するとオンになり、第１のコンデンサＣ１への充電を開始する。このとき、充電電流は、電流制限抵抗Ｒ１によって制限されており、充電される電荷によって第１のコンデンサＣ１の電圧が上昇して第１ａのスイッチングトランジスタＱ２のスレッシホールド電圧を越えると第１ａのスイッチングトランジスタＱ２をオンにする。
【００２６】
その際、ツェナーダイオードＤｚ１には、ツェナー電圧が管電圧（蛍光灯ＦＬの点灯時の電圧）Ｖａより高い電圧Ｖｂのもの（例えば、２０Ｗの直管のもので８０Ｖ程度）を使用している。また、ここでは、抵抗Ｒ１を用いているが、後述する図５のように、分圧抵抗Ｒ２を設けてツェナー電圧を設定するようにしてもよい。このようにすると、許容損失の小さなワット数の小さなツェナーダイオードを使用できるし、ツェナー電圧も設定できるので、ツェナーダイオードＤｚ１の選択幅が増して好都合である。
【００２７】
第１ａのスイッチングトランジスタＱ２は、ドレインを抵抗Ｒ４を介してＸ端子と接続し、ソースを整流用ダイオードＤ１のアノード端子に接続して、ドレイン出力（ドレインと抵抗Ｒ４の接続点の出力）を第１ｂのスイッチングトランジスタＱ３のゲートに接続しており、第１ｂのスイッチングトランジスタＱ３には、第１ａのスイッチングトランジスタＱ２の反転出力が入力するようになっている。
【００２８】
第１ｂのスイッチングトランジスタＱ３は、ドレインを抵抗Ｒ８を介してＸ端子に接続し、ソースを整流用ダイオードＤ１のアノード端子に接続して、そのドレイン出力（ドレインと抵抗の接続点の出力）を半導体スイッチング素子Ｑ１のゲートに接続しており、半導体スイッチング素子Ｑ１は、第１ｂのスイッチングトランジスタＱ３がオンのときにオフとなり、オフのときにオンとなるようになっている。
【００２９】
第２の弁別手段２は、第２の充電手段Ｉ２と第２のスイッチングトランジスタＱ４とで構成されており、第２の充電手段Ｉ２はツェナーダイオードＤｚ２と第２のコンデンサＣ２及び放電抵抗Ｒ７とで構成されている。
【００３０】
ツェナーダイオードＤｚ２は、図２のようにカソードを電流制限抵抗Ｒ５を介してＸ端子と接続し、アノードを第２のコンデンサＣ２と放電抵抗Ｒ７の並列回路を介して整流用ダイオードＤ１のアノードに接続するとともに、その第２のコンデンサＣ２と放電抵抗Ｒ７の並列回路とツェナーダイオードＤｚ２の接続点を第２のスイッチングトランジスタＱ４のゲートに接続してある。
【００３１】
そのため、ツェナーダイオードＤｚ２は、Ｘ端子の電圧がツェナー電圧に達するとオンになり、第２のコンデンサＣ２への充電を電流制限抵抗Ｒ５を介して行う。
【００３２】
このとき、第２のコンデンサＣ２は、第１の弁別手段１の第１のコンデンサＣ１よりも容量の大きなものを用いて、時定数を大きく充電時間が長くなるように設定しており、充電された電荷で第２のコンデンサＣ２の電圧が第２のスイッチングトランジスタＱ４のスレシホールド電圧を越えると、第２のスイッチングトランジスタＱ４をオンにする。
【００３３】
また、このとき、ツェナーダイオードＤｚ２のツェナー電圧は、第１の弁別手段のツェナーダイオードＤｚ１のものよりも低く、かつ、管電圧Ｖａよりも高い（ここでは同じもの）電圧のものを使用している。
【００３４】
なお、先に述べたのと同様に、後述のように抵抗Ｒ６を用いると、ツェナー電圧を設定できる。
【００３５】
第２のスイッチングトランジスタＱ４は、ソースを整流用ダイオードＤ１のアノードに接続し、ドレインを第１の判別手段１の第１ｂのスイッチングトランジスタＱ３のドレインに並列に接続して、その並列に接続したドレインを半導体スイッチング素子Ｑ１のゲートに接続するようになっており、抵抗Ｒ８は共通としている。このため、半導体スイッチング素子Ｑ１は、第１ｂと第２のスイッチングトランジスタＱ２とＱ４の接続されたドレイン出力による論理積出力となる。
【００３６】
すなわち、第１ｂと第２のスイッチングトランジスタＱ２とＱ４との両方がオフのとき半導体スイッチング素子Ｑ１はオンとなり、いずれか一方、あるいは両方がオンのときは、半導体スイッチング素子Ｑ１がオフになるようになっている。
【００３７】
なお、図２中のＴＦは、始動不良の時の保護用として設けた温度ヒューズで、予熱時の電流制限と始動不良時の発熱を抑えるために設けた抵抗Ｒ０との結合によって信頼性の向上を図っている。Ｃ０は、雑音防止用のコンデンサである。
【００３８】
この形態は、上記のように構成されており、図２の回路の動作を図３及び図４の作用図に基づいて説明する。
【００３９】
図１の回路において、スイッチＳＷをオンにすると、交流電圧がチョークコイルＣＨ→蛍光灯ＦＬのフィラメント端子ｆ１、ｆ１’→Ｘ端子→電子点灯回路Ｓｔｔへ印加される。
【００４０】
印加された電圧は、電子点灯回路Ｓｔｔの第１及び第２の弁別回路１、２で弁別される。すなわち、印加された電圧が、管電圧Ｖａよりも高くてＶｂより低くいと、第１の弁別手段１の第１の充電手段Ｉ１のツェナーダイオードＤｚ１はオフで、第２の弁別手段２の第２の充電手段Ｉ２のツェナーダイオードＤｚ２はオンとなり、第２のコンデンサＣ２への充電を開始する。さらに、電圧がＶｂに上昇すると、前記第１の充電手段Ｉ１のツェナーダイオードＤｚ１がオンし、第１のコンデンサＣ１への充電を開始する。このような充電を各サイクルごとに繰り返す（図３）。
【００４１】
この間、第１の弁別手段１の第１ａのスイッチングトランジスタＱ２はオフであり、第１ｂのスイッチングトランジスタＱ３はオンである。また、第２の弁別手段２の第２のスイッチングトランジスタＱ４はオフである。そのため、第１ｂと第２のスイッチングトランジスタＱ３とＱ４の論理積出力はオフとなり、半導体スイッチング素子Ｑ１はオフとなって予熱電流は流れない。
【００４２】
そして、図４に示すように、ｔ１の充電期間の後、第１の弁別手段の第１のコンデンサＣ１の電圧が第１ａのスイッチングトランジスタＱ２のスレッシホールド電圧Ｖｔｈに達してオンになると、第１ｂのスイッチングトランジスタＱ３はオフとなる。このとき、第２の弁別手段２の第２のコンデンサＣ２は、第１のコンデンサＣ１より大きく、充電時間を長くなるように設定してあるので、第２のスイッチングトランジスタＱ４はオフである。そのため、第１ｂと第２のスイッチングトランジスタＱ３とＱ４の論理積出力はオンとなり、半導体スイッチング素子Ｑ１はオンとなって電流が流れ、予熱を開始する。
【００４３】
次に、ｔ２の期間後、第２のコンデンサＣ２の充電電圧がスレシホールド電圧に達して第２のトランジスタＱ４がオンになると、第１ｂと第２のスイッチングトランジスタＱ３とＱ４の論理積出力はオフとなり、半導体スイッチング素子Ｑ１はオフとなって、急激に電流が遮断され、キックパルスを発生する。
【００４４】
こうして蛍光灯ＦＬが点灯すると、蛍光灯ＦＬの両端の電圧は管電圧Ｖａに低下し、第１と第２の弁別手段１のツェナーダイオードＤｚ１とＤｚ２はオフとなり、充電を停止する。そのため、充電の停止した第１と第２のコンデンサＣ１とＣ２の電荷は放電抵抗Ｒ３とＲ７によって放電が開始され、電圧が下がって第１ａのスイッチングトランジスタＱ２はオフとなる。したがって、第１ｂのスイッチングトランジスタＱ３はオンとなり、第２のスイッチングトランジスタＱ４はオンとなり、第１ｂと第２のスイッチングトランジスタＱ３とＱ４の論理積出力はオフとなって回路は停止する。このようになると、第１と第２のコンデンサＣ１、Ｃ２は、それぞれ抵抗Ｒ３とＲ７とによって放電され、以後、点灯を維持する。
【００４５】
このように、印加される電圧に基づいて予熱電流を流すようにしているので、キックパルスを必ず発生して蛍光灯ＦＬを点灯することができる。その結果、始動ミスを起こさない。また、回路にアブソーバ回路や表示回路を設けた場合でも、微少電流や電圧より遙に高い電圧に基づいて予熱電流を流すので、リークによる誤動作を起こすことはない。
【００４６】
一方、点灯中に図４（イ）のように、瞬断が発生して蛍光灯ＦＬが消灯し電流が流れなくなると、蛍光灯ＦＬの両端のフィラメント端子ｆ１、ｆ１’、ｆ２、ｆ２’間には、再び、交流電源によって管電圧Ｖａ以上の電圧が印加されることになる。
【００４７】
このとき、第１と第２の弁別手段１の，第１と第２ののコンデンサＣ１、Ｃ２は、放電抵抗Ｒ３、Ｒ７によって放電が為されており、電圧が上昇してツェナーダイオードＤｚ１、Ｄｚ２が充電を開始すると、先に述べた点灯動作を繰り返し、蛍光灯ＦＬを再度点灯することができる。
【００４８】
このように、ツェナーダイオードＤｚ１とＤｚ２とが印加電圧により第１と第２のコンデンサＣ１とＣ２の充電と放電をスイッチするので、再始動が容易にできる。
【００４９】
また、蛍光灯ＦＬが、寿命末期にエミッタ減少などで放電が維持できなくなって消灯すると、蛍光灯ＦＬの両端の電圧は上昇して管電圧Ｖａ以上となる。
すると、第１及び第２の弁別手段１、２のツェナーダイオードＤｚ１とＤｚ２は、オン状態に保持され続けることになる。このようになると、第１と第２のコンデンサＣ１とＣ２は充電された状態となって第１ａと第２のスイッチングトランジスタＱ２とＱ４はオンとなり、第１ｂのスイッチングトランジスタＱ４はオフとなるので、第１ｂと第２のスイッチングトランジスタＱ３とＱ４の論理積出力はオフとなり、半導体スイッチング素子Ｑ１はオフ状態を保持することになる。したがって、予熱電流が流れなくなって回路は保護される。
【００５０】
図５に電子点灯回路Ｓｔｔの第２実施形態を示す。
この形態の電子点灯回路Ｓｔｔは、図２の電子点灯回路Ｓｔｔの第１ｂのスイッチングトランジスタＱ３を、第２のスイッチングトランジスタＱ４に兼用させて、第１ｂのトランジスタＱ３を１つ省略するようにしたものである。
【００５１】
そのため、図５では、第１の弁別手段１の第１ａのスイッチングトランジスタＱ２のドレイン出力をダイオードＤ２を介して第２の弁別手段２の第２のスイッチングトランジスタＱ４のゲートに接続している。
【００５２】
こうすることで、第１ａのスイッチングトランジスタＱ２と第２の充電手段Ｉ２の出力が、半導体スイッチング素子Ｑ１への論理積出力となる。
【００５３】
すなわち、充電中の図４のｔ１の期間は、第１ａのスイッチングトランジスタＱ２がオフなので、第２のスイッチングトランジスタＱ４のゲートには、抵抗Ｒ４を介して電圧が印加される。このとき、第２の充電手段Ｉ２はスレッシホールド電圧Ｖｔｈに達していないので、第２のスイッチングトランジスタＱ４はオンとなり、半導体スイッチング素子Ｑ１はオフとなって予熱電流を流さない。
【００５４】
また、ｔ１〜ｔ２期間は第１ａのスイッチングトランジスタＱ２がオンとなるので、第２のスイッチングトランジスタＱ４のゲートへの出力はオフとなり、第２の充電手段Ｉ２もオフなので、第２のスイッチングトランジスタＱ４はオフとなり、半導体スイッチング素子Ｑ１のゲートには抵抗Ｒ８を介して電圧が印加されるため、オンとなり電流が流れて予熱を行う。
【００５５】
さらに、ｔ２期間の経過後は、第１ａのスイッチングトランジスタＱ１はオンで第２のスイッチングトランジスタＱ４のゲートへの出力はオフであり、第２の充電手段Ｉ２はオンとなる。そのため、第２のスイッチングトランジスタＱ４はオンとなって、半導体スイッチング素子Ｑ１はオフとなり、予熱電流を遮断してキックパルスを発生させることができる。
【００５６】
このように、第１ａのスイッチングトランジスタＱ２と第２の充電手段Ｉ２の論理積出力でもって予熱電流の制御ができる。
【００５７】
また、このように、第１の弁別手段１の第１ａのスイッチングトランジスタＱ２のドレイン出力を、ダイオードＤ２を介して第２の弁別手段２の第２のスイッチングトランジスタのＱ４のゲートに入力することにより、トランジスタを１つ省略しても第１実施形態と同様の動作をさせることができる。
【００５８】
また、この形態では、抵抗Ｒ６とＲ７を、それぞれツェナーダイオードＤｚ１とＤｚ２のカソードとグランドレベル間（  整流ダイオードＤ１のアノード間）  に設けることにより、ツェナー電圧を簡単に設定できるようにしてある。
【００５９】
このように、分圧抵抗Ｒ６とＲ７を用いれば、ツェナーダイオードＤｚ１、Ｄｚ２に掛かる電圧を低くできるので、許容損失の小さな小型のものを用いることができる。また、ツェナー電圧が設定電圧と異なるものも使用できる。
他の構成及び作用効果は第１実施形態と同じなので、説明は省略する。
【００６０】
なお、この形態では、半導体スイッチング素子Ｑ１にパワーＣＭＯＳを用いたが、これに限定されるものではない。例えばユニポーラやバイポーラトランジスタを用いたパワー素子を用いたものでもよい。
【００６１】
【発明の効果】
この発明は、以上のように構成したことにより、始動ミスを起こさない。瞬断でも再起動できる。しかも、アブソーバ回路や表示回路によるリークで誤動作を起こさないようにすることができる。
【図面の簡単な説明】
【図１】第１実施形態のブロック図
【図２】第１実施形態の回路図
【図３】第１実施形態の作用説明図
【図４】第１実施形態の作用説明図
【図５】第２実施形態の回路図
【図６】（ａ）、（ｂ）、（ｃ）従来例の回路図
【符号の説明】
１  第１の弁別手段
２  第２の弁別手段
３  論理積回路
ＣＨ  チョークコイル
Ｄｚ１  ツェナーダイオード
Ｄｚ２  ツェナーダイオード
ＦＬ  蛍光灯
Ｉ１  第１の充電回路
Ｉ２  第２の充電回路
Ｑ１  半導体スイッチング素子（パワーＣＭＯＳ）
Ｑ２  第１ａのスイッチングトランジスタ（ＮｃｈエンハンスメントＭＯＳ）
Ｑ３  第１ｂのスイッチングトランジスタ（ＮｃｈエンハンスメントＭＯＳ）
Ｑ４  第２のスイッチングトランジスタ（ＮｃｈエンハンスメントＭＯＳ）
Ｓｔｔ  電子点灯装置
Ｖａ  管電圧
Ｖｂ  管電圧より高い電圧
【図１】
2004273207.tif 000003
【図２】
2004273207.tif 000004
【図３】
2004273207.tif 000005
【図４】
2004273207.tif 000006
【図５】
2004273207.tif 000007
【図６】
2004273207.tif 000008